(57)【要約】【課題】確実にヘッドボックスの横ズレを防止することができるブラインド用ブラケットを提供する。【解決手段】ヘッドボックス３０の一端３０ａを支持する支持面１８ｂが形成される支持体１２と、支持体１２に相対的に回動可能に支持されてヘッドボックス３０の他端３０ｂを掛止可能な掛止部が形成される掛止体１４と、ヘッドボックス３０の横ズレを防止すると共にヘッドボックス３０と支持体１２との干渉を防止するための緩衝部２０とからなり、支持面１８ｂは、支持体１２の一部が折り返されることによって形成され、緩衝部２０は支持面１８ｂ近傍の支持体１２の下面に設けられ、緩衝部２０がヘッドボックス３０の上面に圧接する。【選択図】  図３
2004360295.tif 000002
【特許請求の範囲】
【請求項１】
ヘッドボックス（３０）を支持するためのブラケットであって、
ヘッドボックス（３０）の一端（３０ａ）を支持する支持面（１８ｂ）が形成される支持体（１２）と、支持体（１２）に相対的に摺動または回動可能に支持されてヘッドボックス（３０）の他端（３０ｂ）を掛止可能な掛止部（１４ａ）が形成される掛止体（１４）と、ヘッドボックス（３０）の横ズレを防止すると共にヘッドボックス（３０）と支持体（１２）との干渉を防止するための緩衝部（２０）とからなり、
前記緩衝部（２０）は、ヘッドボックス（３０）に圧接するべく支持面（１８ｂ）の近傍の支持体（１２）に設けられることを特徴とするブラインド用ブラケット。
【請求項２】
前記支持面（１８ｂ）は、支持体（１２）の一部が折り返されることによって形成され、前記緩衝部（２０）は支持体（１２）の下面に設けられて、支持面（１８ｂ）と緩衝部（２０）とでヘッドボックス（３０）を挟持支持することを特徴とする請求項１記載のブラインド用ブラケット。
【請求項３】
前記支持面（１８ｂ）は、支持体（１２）の一部が折り返されることによって形成され、前記緩衝部（２０）は折り返し部（１８ａ）において支持面（１８ｂ）の上方の支持体（１２）下面に設けられて、支持面（１８ｂ）と緩衝部（２０）とでヘッドボックス（３０）の一端（３０ａ）を挟持支持することを特徴とする請求項１記載のブラインド用ブラケット。
【請求項４】
前記支持面（１８ｂ）と緩衝部（２０）との高さ方向の隙間は、ヘッドボックス（３０）の一端（３０ａ）が支持されていない自然状態において、ヘッドボックス（３０）の一端（３０ａ）の厚みよりも小さいことを特徴とする請求項２または３記載のブラインド用ブラケット。
【発明の詳細な説明】
【０００１】
【発明の属する技術分野】
本発明は、ブラインドを支持するブラインド用ブラケットに関する。
【０００２】
【従来の技術】
従来のブラインド用ブラケットとしては、垂直部と水平部とからなり窓枠等に固定される支持本体と、支持本体の垂直部に取り付けられてヘッドボックスの横ズレ及びヘッドボックスの垂直部との緩衝を防止する緩衝体とを有し、垂直部と緩衝体との間には、これらを嵌合することにより緩衝体の全方向への移動を規制する嵌合機構が構成されているものが知られている（特許文献１参照。）。そして、この構成によれば、ブラケットにヘッドボックスを支持させたときに、緩衝体がヘッドボックスを裏面側から押さえるので、ヘッドボックスの横ズレを防止することができる。
【０００３】
【特許文献１】
特開２００１−２７０７９号公報（第１欄第２行〜第１３行）
【０００４】
【発明が解決しようとする課題】
しかしながら、かかる特許文献１に記載の構成では、緩衝体の配置される位置が、ヘッドボックスのブラケットへの支持点から遠いため、緩衝体から受ける圧接力を大きくすることができないという問題がある。このため、重量の軽いブラインドでは十分に横ズレ防止の効果を発揮するが、重量の重いブラインドに対しては、十分に横ズレを防止できないことがあった。
【０００５】
本発明はかかる課題に鑑みなされたもので、その目的は、ヘッドボックスの横ズレを確実に防止することができるブラインド用ブラケットを提供することである。
【０００６】
【課題を解決するための手段】
前述した目的を達成するために、請求項１記載の発明は、ヘッドボックスを支持するためのブラケットであって、
ヘッドボックスの一端を支持する支持面が形成される支持体と、支持体に相対的に摺動または回動可能に支持されてヘッドボックスの他端を掛止可能な掛止部が形成される掛止体と、ヘッドボックスの横ズレを防止すると共にヘッドボックスと支持体との干渉を防止するための緩衝部とからなり、
前記緩衝部は、ヘッドボックスに圧接するべく支持面の近傍の支持体に設けられることを特徴とする。
【０００７】
ヘッドボックスの一端を支持面に支持し、さらに支持体に対して掛止体を摺動または回動して、ヘッドボックスの他端を掛止体の掛止部に掛止めると、ヘッドボックスはブラケットに固定され、支持面が支点となってヘッドボックスを緩衝部へと圧接させることができる。緩衝部は支持面、即ち支点の近傍にあるために、緩衝部からヘッドボックスが受ける圧力は強力になり、ヘッドボックスと緩衝部との間の摩擦力が大きくなり、ブラインドの重量が大きくても、ヘッドボックスの横ズレを確実に防止することができる。
【０００８】
請求項２記載の発明は、請求項１記載の支持面が、支持体の一部が折り返されることによって形成され、前記緩衝部は支持体の下面に設けられて、支持面と緩衝部とでヘッドボックスの一端を挟持支持することを特徴とする。ヘッドボックスの一端を支持面に支持させて、ヘッドボックスを支持面を中心として上方へと揺動させると、ヘッドボックスが支持面と緩衝部とによって挟持される。これにより、ヘッドボックスを緩衝部に圧接することができる。
【０００９】
請求項３記載の発明は、請求項１記載の支持面が、支持体の一部が折り返されることによって形成され、前記緩衝部は折り返し部において支持面の上方の支持体下面に設けられて、支持面と緩衝部とでヘッドボックスの一端を挟持支持することを特徴とする。ヘッドボックスの一端を折り返し部に挿入すると、ヘッドボックスの一端が折り返し部において支持面と緩衝部とによって挟持される。これにより、ヘッドボックスを緩衝部に圧接することができる。
【００１０】
請求項４記載の発明は、請求項２または３記載のものにおいて、前記支持面と緩衝部との高さ方向の隙間が、ヘッドボックスの一端が支持されていない自然状態において、ヘッドボックスの一端の厚みよりも小さいことを特徴とする。この構成により、ヘッドボックスが支持面と緩衝部とによって挟持支持されたときに、ヘッドボックスが緩衝部から受ける圧力を強力にすることができる。
【００１１】
【発明の実施の形態】
以下、図面を用いて本発明の実施の形態を説明する。尚、以下の実施形態は本発明を限定するものではない。
【００１２】
図１は本発明の第１実施形態によるブラインド用ブラケットを表す全体斜視図である。図において、ブラインド用ブラケット１０は、支持体１２と、支持体１２に対して移動可能に支持される掛止体１４と、を有している。支持体１２は、この実施形態では、支持枠１６と支持板１８とから構成されるが、これに限るものではなく、これらを一体品として構成することも可能である。
【００１３】
支持体１２の支持枠１６は、主に水平部１６ａと垂直部１６ｂとからなる略逆Ｌ字形状をなしており、この水平部１６ａと垂直部１６ｂのいずれか一方が、壁、窓枠等の取付面にネジ等で固定される。支持板１８は、支持枠１６の水平部１６ａに対して摺動可能となっており、ネジによって一体的に固定されて水平方向に配設される。支持板１８の先端部は、後下方へと折り返されており、その折り返し部１８ａにおける下側の水平部分が、ブラインドのヘッドボックス３０の一端３０ａを支持可能な支持面１８ｂとなっている。
【００１４】
さらに、支持板１８には掛止体１４が取り付けられている。掛止体１４は、水平方向に配設されて、支持板１８に垂直な軸を中心として支持板１８に対して相対的に回動可能に軸支されている。掛止体１４の先端は、ヘッドボックス３０の他端３０ｂを掛止可能な掛止部１４ａとなる。但し、掛止体１４を、支持板１８即ち支持体１２に対して、前後方向等に摺動可能に取り付けることも可能である。
【００１５】
さらに、このブラケット１０は、支持板１８の支持面１８ｂの近傍に、支持面１８ｂに対向するようにして支持板１８の下面に固着された緩衝部２０を有している。緩衝部２０は、ゴム等の軟質の弾性材料から構成することができる。
【００１６】
緩衝部２０と支持面１８ｂとの間の高さ方向の隙間は、ヘッドボックス３０が取り付けられていない自然状態において、ヘッドボックス３０の一端３０ａの厚みよりも小さくなるように設定されるとよく、緩衝部２０の下面が支持面１８ｂよりも下方になり、隙間がマイナスになっていてもよい。
【００１７】
以上のように構成されるブラケットにおいて、ヘッドボックス３０を支持させるには、予め掛止体１４を支持板１８に対して回動して、掛止体１４と支持板１８の先端の支持面１８ｂとの間の間隔が大きくなるようにする（図２）。その間にヘッドボックス３０を挿入して、ヘッドボックス３０の一端３０ａを支持板１８の折り返し部１８ａに挿入して、支持面１８ｂに載置する（図３）。そして、ヘッドボックス３０を支持面１８ｂを支点として揺動させ、ヘッドボックス３０の他端３０ｂを持ち上げた後、掛止体１４を回動させて、そのヘッドボックス３０の他端３０ｂを掛止体１４の掛止部１４ａに載置する（図４）。
【００１８】
ヘッドボックス３０は、その他端３０ｂが掛止部１４ａによって折り返し部１８ａに向かって押し付けられると共に上方に向かって押し上げられ、ヘッドボックス３０の両端が折り返し部１８ａと掛止部１４ａとによって支持されて、ブラケット１０に固定される。ヘッドボックス３０は、緩衝部２０と支持面１８ｂとによって挟持支持される形となり、ヘッドボックス３０の上面は、緩衝部２０に対して圧接される。この緩衝部２０はヘッドボックス３０の揺動中心である支持面１８ｂの近傍にあるために、ヘッドボックス３０は緩衝部２０から強力な圧接力を受けることができる。このために、緩衝部２０とヘッドボックス３０との間に発生する摩擦力は強力となり、緩衝部２０からのヘッドボックス３０への横ズレ防止効果が大きく、よって、ヘッドボックス３０の重量が大きい場合であっても、横ズレを確実に防止することができる。また、緩衝部２０によって、ヘッドボックス３０とブラケット１０との干渉も防止することができる。
【００１９】
緩衝部２０の位置は、支持面１８ｂと掛止部１４ａとの間の支持体１２である支持板１８の下面の任意の位置とすることができるが、好ましくは、掛止部１４ａまでの距離よりも支持面１８ｂまでの距離の方が短い位置にするとよい。
【００２０】
図５〜図７は、第２の実施形態を表す図である。この実施形態の緩衝部２０−１は、支持板１８の折り返し部１８ａに設けられており、支持板１８の折り返し部１８ａにおいて、支持面１８ｂの上方にある支持板１８の下面に固定されている。緩衝部２０−１と支持面１８ｂとの間の高さ方向の隙間は、ヘッドボックス３０が取り付けられていない自然状態において、ヘッドボックス３０の一端３０ａの厚みよりも小さくなるように設定されるとよい。
【００２１】
この例の場合にも、第１の実施形態と同様に作用させることができ、ヘッドボックス３０を支持させるときには、ヘッドボックス３０の一端３０ａを支持板１８の折り返し部１８ａ内にある緩衝部２０−１と支持面１８ｂとの間に挿入する（図６）。ヘッドボックス３０は、一端３０ａが緩衝部２０−１と支持面１８ｂとによって挟持支持され、その他端３０ｂが掛止部１４ａによって折り返し部１８ａに向かって押し付けられると共に上方に向かって押し上げられる（図７）。ヘッドボックス３０の一端３０ａは、緩衝部２０−１に対して圧接される。この緩衝部２０−１はヘッドボックス３０の揺動中心である支持面１８ｂの近傍にあるために、ヘッドボックス３０は緩衝部２０から強力な圧接力を受けることができる。このために、緩衝部２０−１とヘッドボックス３０との間に発生する摩擦力は強力となり、緩衝部２０−１からのヘッドボックス３０への横ズレ防止効果が大きく、よって、ヘッドボックス３０の重量が大きい場合であっても、横ズレを確実に防止することができる。また、緩衝部２０−１によって、ヘッドボックス３０とブラケット１０との干渉も防止することができる。
【００２２】
図８は、第３の実施形態を表す図である。この実施形態では、折り返し部１８ａに設けられた緩衝部２０−２は、支持体１２の支持板１８の折り返し部１８ａにおいて、支持面１８ｂの延長上にある支持体１２である支持板１８に固定されている。
【００２３】
この例の場合にも、前各実施形態と同様に作用させることができ、ヘッドボックス３０を支持させるときには、ヘッドボックス３０を、その一端３０ａを中心として揺動させる。ヘッドボックス３０の一端３０ａは緩衝部２０−２に対して圧接される。この緩衝部２０−２は、ヘッドボックス３０の揺動中心である支持面１８ｂの近傍にあるために、緩衝部２０−２から強力な圧接力を受けることができる。このために、緩衝部２０−２とヘッドボックス３０との間に発生する摩擦力は強力となり、緩衝部２０−２からのヘッドボックス３０への横ズレ防止効果が大きく、よって、ヘッドボックス３０の重量が大きい場合であっても、横ズレを確実に防止することができる。また、緩衝部２０−２によって、ヘッドボックス３０とブラケット１０との干渉も防止することができる。
【００２４】
尚、以上の実施形態では、支持体１２が壁、窓枠等の取付面に固定され、掛止体１４は支持体１２に対して相対移動可能であり、つまり取付面に相対移動可能であったが、これに限るものではなく、掛止体１４が取付面に固定され、支持体１２が掛止体１４に対して相対移動可能であってもよい。但し、支持体１２に緩衝部２０、２０−１、２０−２が設けられるために、以上の実施形態のように支持体１２が取付面に固定されている方が、ヘッドボックス３０から緩衝部２０、２０−１、２０−２が受ける圧力を取付面に直接的に伝達することができるため、より好ましい。
【００２５】
【発明の効果】
以上説明したように、本発明によれば、支持面が支点となってヘッドボックスを緩衝部へと圧接することができる。緩衝部は支持面、即ち支点の近傍にあるために、緩衝部からヘッドボックスが受ける圧力は強力になり、ヘッドボックスと緩衝部との間の摩擦力が大きくなり、ブラインドの重量が大きくても、ヘッドボックスの横ズレを確実に防止することができる。
【図面の簡単な説明】
【図１】本発明の第１実施形態によるブラケットの全体斜視図である。
【図２】本発明の第１実施形態のブラケットのヘッドボックスが支持されていない状態の断面図である。
【図３】本発明の第１実施形態のブラケットのヘッドボックスが支持される途中状態の断面図である。
【図４】本発明の第１実施形態のブラケットのヘッドボックスが支持された状態の断面図である。
【図５】本発明の第２実施形態のブラケットのヘッドボックスが支持されていない状態の断面図である。
【図６】本発明の第２実施形態のブラケットのヘッドボックスが支持される途中状態の断面図である。
【図７】本発明の第２実施形態のブラケットのヘッドボックスが支持された状態の断面図である。
【図８】本発明の第３実施形態のブラケットのヘッドボックスが支持された状態の断面図である。
【符号の説明】
１０  ブラインド用ブラケット
１２  支持体
１４  掛止体
１４ａ  掛止部
１８ａ  折り返し部
１８ｂ  支持面
２０、２０−１、２０−２  緩衝部
３０  ヘッドボックス
３０ａ  一端
３０ｂ  他端
【図１】
2004360295.tif 000003
【図２】
2004360295.tif 000004
【図３】
2004360295.tif 000005
【図４】
2004360295.tif 000006
【図５】
2004360295.tif 000007
【図６】
2004360295.tif 000008
【図７】
2004360295.tif 000009
【図８】
2004360295.tif 000010